(57)【要約】【課題】比較的大きな体積を有する処置対象であっても、人間を含む哺乳類にかかる負担を軽減して薬剤を投与することができる薬剤投与装置を提供すること。【解決手段】人間を含む哺乳類の体内に薬剤を導くカテーテル２であって、薬剤を体内の所定部位に導くチューブ３と、チューブ３の先端に設けられ、チューブ３に導かれた薬剤を体内に吐出する複数の薬剤吐出口を側面に有した薬剤投与部７と、を備え、薬剤投与部７は少なくとも先端部が円弧形状、たとえば螺旋形状に形成されている。【選択図】        図１
2010125051.tif 000002
【特許請求の範囲】
【請求項１】
人間を含む哺乳類の体内に薬剤を導くカテーテルであって、
前記薬剤を体内の所定部位に導くチューブと、
前記チューブの先端に設けられ、前記チューブに導かれた薬剤を体内に吐出する複数の薬剤吐出口を側面に有した薬剤投与部と、
を備え、前記薬剤投与部は少なくとも先端部が円弧形状に形成されていることを特徴とするカテーテル。
【請求項２】
前記円弧形状は、螺旋形状であることを特徴とする請求項１に記載のカテーテル。
【請求項３】
前記薬剤投与部は、Ｊ字型に形成されていることを特徴とする請求項１に記載のカテーテル。
【請求項４】
前記チューブと前記薬剤投与部とは、内部に薬剤が流通可能な通路を有するコネクタによって着脱可能に接続されていることを特徴とする請求項１に記載のカテーテル。
【請求項５】
前記薬剤投与部の内部通路に挿脱自在であり、前記薬剤投与部の内部通路に挿入されて前記薬剤投与部の形状を保持する心材をさらに有することを特徴とする請求項４に記載のカテーテル。
【請求項６】
前記心材は、前記薬剤投与部の内部通路の形状に沿って屈曲した金属ロッドであることを特徴とする請求項５に記載のカテーテル。
【請求項７】
円弧形状に形成された前記薬剤投与部は、内部通路の壁が少なくとも２層構造であり、該２層構造の内側の層は、外側の層よりも硬質の材料で形成されていることを特徴とする請求項１に記載のカテーテル。
【請求項８】
前記内側の層は、金属で形成されていることを特徴とする請求項７に記載のカテーテル。
【発明の詳細な説明】
【技術分野】
【０００１】
この発明は、人間を含む哺乳類の体内に係留でき、該体内に薬剤を導くカテーテルに関するものである。
【背景技術】
【０００２】
従来から、人間を含む哺乳類の体内に薬剤を導くためにカテーテルが用いられている。この従来のカテーテルは、柔軟なチューブの先端に内部通路を有する真っ直ぐな穿刺針が取り付けられている（特許文献１参照）。このようなカテーテルでは、通常、穿刺針の先端に設けられた開口から薬剤が体内に吐出される。したがって、薬剤の吐出位置は、１点のみとなる。
【０００３】
一方、カテーテルの側面に複数の薬剤吐出穴を設けた真っ直ぐな穿刺針が知られているが、この場合、穿刺針の側面の複数箇所から薬剤が吐出されるため、薬剤の吐出位置は、直線状に分布することになる。
【０００４】
【特許文献１】特開平３−５７４５７号公報
【発明の開示】
【発明が解決しようとする課題】
【０００５】
ところで、患部が、ある程度の体積を有する場合に、上述した従来のカテーテルを用いる場合、複数のカテーテルを用いて、患部全体に薬剤がいきわたるようにしていた。この場合、複数のカテーテルを体内に取り付ける必要があるため、薬剤投与対象の人間を含む哺乳類にかかる負担が大きいという問題点があった。
【０００６】
この発明は、上記に鑑みてなされたものであって、比較的大きな体積を有する処置対象であっても、人間を含む哺乳類にかかる負担を軽減して薬剤を投与することができるカテーテルを提供することを目的とする。
【課題を解決するための手段】
【０００７】
上述した課題を解決し、目的を達成するために、この発明にかかるカテーテルは、人間を含む哺乳類の体内に薬剤を導くカテーテルであって、前記薬剤を体内の所定部位に導くチューブと、前記チューブの先端に設けられ、前記チューブに導かれた薬剤を体内に吐出する複数の薬剤吐出口を側面に有した薬剤投与部と、を備え、前記薬剤投与部は少なくとも先端部が円弧形状に形成されていることを特徴とする。ここで、円弧形状とは、細長い３次元形状の軸線が円弧または螺旋（Ｈｅｌｉｘ）になっていることであり、仮想的な円筒の表面上に糸を水平または斜めに巻き付けたとき、糸のとる３次元形状をいう。水平の場合が円弧に対応し、斜めが螺旋に対応する。細長い３次元形状の物体が円弧形状となっていると、前記３次元形状の物体を組織に挿入や抜出する場合に、前記仮想的な円筒の軸まわりの回転運動を前記３次元形状の物体に加えれば、簡単に挿入や抜出をすることができる。また、挿入時において、細長い３次元形状の前進先端部が形成する組織内の経路を後続部分がそのまま通るので、組織への侵襲が小さい。抜き出し時も、挿入時に形成した組織内の経路を通って抜き出せるので、組織への侵襲が小さい。
【０００８】
また、この発明にかかるカテーテルは、上述した発明において、前記円弧形状は、螺旋形状であることを特徴とする。
【０００９】
また、この発明にかかるカテーテルは、上述した発明において、前記薬剤投与部は、Ｊ字型に形成されていることを特徴とする。
【００１０】
また、この発明にかかるカテーテルは、上述した発明において、前記チューブと前記薬剤投与部とは、内部に薬剤が流通可能な通路を有するコネクタによって着脱可能に接続されていることを特徴とする。
【００１１】
また、この発明にかかるカテーテルは、上述した発明において、前記薬剤投与部の内部通路に挿脱自在であり、前記薬剤投与部の内部通路に挿入されて前記薬剤投与部の形状を保持する心材をさらに有することを特徴とする。
【００１２】
また、この発明にかかるカテーテルは、上述した発明において、前記心材は、前記薬剤投与部の内部通路の形状に沿って屈曲した金属ロッドであることを特徴とする。
【００１３】
また、この発明にかかるカテーテルは、上述した発明において、円弧形状に形成された前記薬剤投与部は、内部通路の壁が少なくとも２層構造であり、該２層構造の内側の層は、外側の層よりも硬質の材料で形成されていることを特徴とする。
【００１４】
また、この発明にかかるカテーテルは、上述した発明において、前記内側の層は、金属で形成されていることを特徴とする。
【発明の効果】
【００１５】
この発明によれば、薬剤を体内の所定部位に導くチューブの先端に設けられ、前記チューブに導かれた薬剤を体内に吐出する複数の薬剤吐出口を側面に有した薬剤投与部の少なくとも先端部が円弧形状に形成されているので、比較的大きな体積を有する処置対象であっても、人間を含む哺乳類にかかる負担を軽減して薬剤を投与することができる。
【発明を実施するための最良の形態】
【００１６】
以下、図面を参照して、この発明にかかるカテーテルの実施の形態を詳細に説明する。なお、この実施の形態によってこの発明が限定されるものではない。
【００１７】
（実施の形態１）
図１は、この発明の実施の形態１にかかるカテーテルが人体に適用された状態を示す模式図である。また、図２は、図１に示したカテーテルの薬剤投与部７の詳細構成を示す斜視図である。図１では、人間を含む哺乳類の投与対象、たとえば肝臓などの体内臓器８に対して数十ｍｌ程度の抗癌剤などの薬剤を、１週間程度の長期間にわたり連続的かつ集中的に吐出して計画投与する場合を示している。なお、ここでいう薬剤には、液状およびゲル状の薬剤を含む。
【００１８】
図１および図２において、薬剤投与装置１は、カテーテル２と、このカテーテル２に薬剤を供給する薬剤投与装置本体５とを有する。カテーテル２は、生体適合性を有する柔軟なポリエチレンなどで形成されたチューブ３と、コネクタ６ａ，６ｂを介してチューブ３の先端部に設けられ、側面に複数の薬剤吐出口１２を有した薬剤投与部７とを有する。なお、チューブ３の途中には、体表９に取り付けられるポート１０が設けられる。
【００１９】
薬剤投与部７は、少なくとも先端部が円弧形状となっており、体内臓器８内に埋め込まれる。この薬剤投与部７は、円弧形状の一例として螺旋形状となっている。薬剤投与部７は、先端１３が閉じており、薬剤吐出穴は設けられていない。また、薬剤投与部７は、内部通路の壁が、たとえば金属などの硬質の内層１１ａと、内層１１ａより硬質でない、たとえばポリエチレンなどによって実現される外層１１ｂとからなる２重構造となっている。内層１１ａは、薬剤投与部７全体の螺旋形状を保持する作用をもち、外層１１ｂは、生体親和性を維持する作用をもつ。
【００２０】
このカテーテル２を体内に取り付ける場合、コネクタ６ａ，６ｂが切り離された状態で、薬剤投与部７を、螺旋軸に沿って回転させながら、前進させることで体内臓器８内に取り付けられる。この薬剤投与部７の体内臓器８への取付が完了した時点で、コネクタ６ａ，６ｂを連結させる。これによって、薬剤投与装置本体５から供給される薬剤は、チューブ２、コネクタ６ａ，６ｂを介して薬剤投与部７に送り込まれ、薬剤投与部７の側面に設けられた複数の薬剤吐出口１２から吐出される。なお、カテーテル２を体内から取り外す場合には、コネクタ６ａ，６ｂを取り外し、薬剤投与部７を螺旋軸に沿って逆回転させながら引き抜くことによって薬剤投与部７を体内臓器８から容易に取り外すことができる。
【００２１】
ここで、体内臓器８内に取り付けられた薬剤投与部７は、螺旋形状であり、この螺旋形状の側面に複数の薬剤吐出口１２が設けられていることから、比較的大きな体積をもつ体内臓器８の患部全域に対して薬剤をいきわたらせることができる。しかも、薬剤投与部７は、螺旋形状であるため、体内臓器８に対する取付状態がよく、容易に体内臓器８から抜けることがなく、安定した薬剤投与を行うことができる。
【００２２】
（実施の形態２）
つぎに、この発明の実施の形態２について説明する。上述した実施の形態１の薬剤投与部７は、その壁が２重構造であったが、この実施の形態２の薬剤投与部７は、内層１１ａに替えて、図３に示すように、内部通路の形状に沿って屈曲した図４に示す金属ロッド１４が心材として、コネクタ６ｂ側から先端部にかけて該内部通路に挿入されている。薬剤投与部７は、この金属ロッド１４によって薬剤投与部７全体の螺旋形状が保持される。なお、外層１１ｂに対応する部分は、コネクタ６ｂに接続されている。
【００２３】
この金属ロッド１４が内部通路に挿入された状態で、薬剤投与部７を螺旋軸に沿って回転させながら前進させることで、薬剤投与部７は螺旋形状を維持して体内臓器８に取り付けられる。その後、金属ロッド１４を内部通路から引き抜き、図５に示すように、コネクタ６ａ，６ｂを連結することによってカテーテル２が形成される。
【００２４】
この実施の形態２は、実施の形態１と同様に、比較的大きな体積をもつ体内臓器８の患部全域に対して薬剤をいきわたらせることができる。
【００２５】
（実施の形態３）
つぎに、この発明の実施の形態３について説明する。上述した実施の形態１，２では、薬剤投与部７が螺旋形状であったが、この実施の形態３では、図６および図７に示すように、薬剤投与部７に対応する薬剤投与部１５の先端部がＪ字形状となっている。
【００２６】
この薬剤投与部１５は、コネクタ６ｂを有し、チューブ２の先端部に設けられたコネクタ６ａを介して着脱可能となる。図７に示すように、薬剤投与部１５の側面には、複数の薬剤吐出口１７が設けられている。
【００２７】
この薬剤投与部１５は、薬剤投与部７と同様に、壁が２重構造となっている。内層１６によってＪ字形状が保持される。
【００２８】
薬剤投与部１５を、体内臓器８に取り付ける場合、薬剤投与部１５の先端部を体内臓器８に引っかけるようにして取り付ける。これによって、体内臓器８内に取り付けられた薬剤投与部１５は、Ｊ字形状であり、このＪ字形状の側面に複数の薬剤吐出口１７が設けられていることから、比較的大きな体積をもつ体内臓器８の患部全域に対して薬剤をいきわたらせることができる。しかも、薬剤投与部１５は、Ｊ字形状であるため、体内臓器８に対する取付状態がよく、容易に体内臓器８から抜けることがなく、安定した薬剤投与を行うことができる。
【００２９】
なお、図８に示すように、実施の形態２と同様に、薬剤投与部１５の内部通路に挿脱可能な金属ロッド１８を心材として薬剤投与部１５の内部通路に挿入するようにしてもよい。
【図面の簡単な説明】
【００３０】
【図１】この発明の実施の形態１にかかるカテーテルが人体に適用された状態を示す模式図である。
【図２】図１に示したカテーテルの薬剤投与部の詳細構成を示す斜視図である。
【図３】この発明の実施の形態２にかかるカテーテルの薬剤投与部の詳細構成を示す斜視図である。
【図４】図３の薬剤投与部に用いられる金属ロッドを示す図である。
【図５】図３に示した薬剤投与部とチューブとを接続したカテーテルを示す図である。
【図６】この発明の実施の形態３にかかるカテーテルが人体に適用された状態を示す模式図である。
【図７】図６に示したカテーテルの薬剤投与部の詳細構成を示す斜視図である。
【図８】この発明の実施の形態３の変形例である薬剤投与部の構成を示す斜視図である。
【符号の説明】
【００３１】
１  薬剤投与装置
２  カテーテル
３  チューブ
５  薬剤投与装置本体
６ａ，６ｂ  コネクタ
７，１５  薬剤投与部
８  体内臓器
９  体表
１０  ポート
１１ａ，１６  内層
１１ｂ  外層
１２，１７  薬剤吐出口
１３  先端
１４，１８  金属ロッド
【図１】
2010125051.tif 000003
【図２】
2010125051.tif 000004
【図３】
2010125051.tif 000005
【図４】
2010125051.tif 000006
【図５】
2010125051.tif 000007
【図６】
2010125051.tif 000008
【図７】
2010125051.tif 000009
【図８】
2010125051.tif 000010